【手続補正書】
【提出日】平成24年1月11日(2012.1.11)
【手続補正１】
【補正対象書類名】特許請求の範囲
【補正対象項目名】全文
【補正方法】変更
【補正の内容】
【特許請求の範囲】
【請求項１】
有底筒状の本体容器と、該本体容器の開口を覆う蓋と、ろ材を収納するカートリッジとを備えたポット型浄水器であって、前記蓋の裏面に表示部材が取り付けられ、前記表示部材の前記蓋に対向する表面の反対側の面に前記カートリッジの使用開始時期を表す複数の文字が印刷または刻印され、また、前記表示部材の前記蓋に対向する表面に前記カートリッジの交換時期を表す複数の文字が印刷または刻印され、前記表示部材の外周面に複数の位置決め凹部が設けられ、前記蓋には位置決め凸部が設けられ、前記表示部材を移動させ、前記位置決め凹部と前記位置決め凸部が嵌るごとに、前記蓋の表示窓から前記交換時期を表す各文字が順次視認可能であるように、前記交換時期を表す複数の文字と前記複数の位置決め凹部と前記表示窓とが対応して配置されており、前記表示部材を移動させて、前記使用開始時期を表す複数の文字のうち、前記カートリッジの使用開始時期に当たる文字を前記蓋に設けられた使用開始を示す印に合わせることによって、前記表示窓から前記カートリッジの寿命に対応した交換時期を表す文字が視認可能となることを特徴とするポット型浄水器。
【請求項２】
有底筒状の本体容器と、該本体容器の開口を覆う蓋と、ろ材を収納するカートリッジとを備えたポット型浄水器であって、前記蓋の裏面に表示部材が取り付けられ、前記蓋に前記カートリッジの使用開始時期を表す複数の文字が印刷または刻印され、また、前記表示部材の前記蓋に対向する表面に前記カートリッジの交換時期を表す複数の文字が印刷または刻印され、前記表示部材の外周面に複数の位置決め凹部が設けられ、前記蓋には位置決め凸部が設けられ、前記表示部材を移動させ、前記位置決め凹部と前記位置決め凸部が嵌るごとに、前記蓋の表示窓から前記交換時期を表す各文字が順次視認可能であるように、前記交換時期を表す複数の文字と前記複数の位置決め凹部と前記表示窓とが対応して配置されており、前記表示部材を移動させて、前記使用開始時期を表す複数の文字のうち、前記カートリッジの使用開始時期に当たる文字を前記表示部材に設けられた使用開始を示す印に合わせることによって、前記表示窓から前記カートリッジの寿命に対応した交換時期を表す文字が視認可能となることを特徴とするポット型浄水器。
【請求項３】
前記位置決め凸部は前記表示部材の外周面に面して設けられ、前記表示部材の移動に伴い、前記位置決め凸部が、該位置決め凸部の高さ方向に変位することを特徴とする請求項１または２に記載のポット型浄水器。
【請求項４】
有底筒状の本体容器と、該本体容器の開口を覆う蓋と、ろ材を収納するカートリッジとを備えたポット型浄水器であって、前記蓋の裏面に表示部材が取り付けられ、前記表示部材の前記蓋に対向する表面の反対側の面に前記カートリッジの使用開始時期を表す複数の文字が印刷または刻印され、また、前記表示部材の前記蓋に対向する表面に前記カートリッジの交換時期を表す複数の文字が印刷または刻印され、前記表示部材の外周面に複数の位置決め凸部が設けられ、前記蓋には位置決め凹部が設けられ、前記表示部材を移動させ、前記位置決め凸部と前記位置決め凹部が嵌るごとに、前記蓋の表示窓から前記交換時期を表す各文字が順次視認可能であるように、前記交換時期を表す複数の文字と前記複数の位置決め凸部と前記表示窓とが対応して配置されており、前記表示部材を移動させて、前記使用開始時期を表す複数の文字のうち、前記カートリッジの使用開始時期に当たる文字を前記蓋に設けられた使用開始を示す印に合わせることによって、前記表示窓から前記カートリッジの寿命に対応した交換時期を表す文字が視認可能となることを特徴とするポット型浄水器。
【請求項５】
有底筒状の本体容器と、該本体容器の開口を覆う蓋と、ろ材を収納するカートリッジとを備えたポット型浄水器であって、前記蓋の裏面に表示部材が取り付けられ、前記蓋に前記カートリッジの使用開始時期を表す複数の文字が印刷または刻印され、また、前記表示部材の前記蓋に対向する表面に前記カートリッジの交換時期を表す複数の文字が印刷または刻印され、前記表示部材の外周面に複数の位置決め凸部が設けられ、前記蓋には位置決め凹部が設けられ、前記表示部材を移動させ、前記位置決め凸部と前記位置決め凹部が嵌るごとに、前記蓋の表示窓から前記交換時期を表す各文字が順次視認可能であるように、前記交換時期を表す複数の文字と前記複数の位置決め凸部と前記表示窓とが対応して配置されており、前記表示部材を移動させて、前記使用開始時期を表す複数の文字のうち、前記カートリッジの使用開始時期に当たる文字を前記表示部材に設けられた使用開始を示す印に合わせることによって、前記表示窓から前記カートリッジの寿命に対応した交換時期を表す文字が視認可能となることを特徴とするポット型浄水器。
【請求項６】
前記位置決め凹部は前記表示部材の外周面に面して設けられ、前記表示部材の移動に伴い、前記位置決め凹部が、該位置決め凹部の高さ方向に変位することを特徴とする請求項４または５に記載のポット型浄水器。
【請求項７】
前記位置決め凸部および前記位置決め凹部の形状が、円弧状または三角形状であることを特徴とする請求項１〜６のいずれかに記載のポット型浄水器。
【請求項８】
前記表示部材が前記蓋に対して回動することを特徴とする請求項１〜７のいずれかに記載のポット型浄水器。
【手続補正２】
【補正対象書類名】明細書
【補正対象項目名】０００７
【補正方法】変更
【補正の内容】
【０００７】
すなわち、本発明によれば、有底筒状の本体容器と、該本体容器の開口を覆う蓋と、ろ材を収納するカートリッジとを備えたポット型浄水器であって、前記蓋の裏面に表示部材が取り付けられ、前記表示部材の前記蓋に対向する表面の反対側の面に前記カートリッジの使用開始時期を表す複数の文字が印刷または刻印され、また、前記表示部材の前記蓋に対向する表面に前記カートリッジの交換時期を表す複数の文字が印刷または刻印され、前記表示部材の外周面に複数の位置決め凹部が設けられ、前記蓋には位置決め凸部が設けられ、前記表示部材を移動させ、前記位置決め凹部と前記位置決め凸部が嵌るごとに、前記蓋の表示窓から前記交換時期を表す各文字が順次視認可能であるように、前記交換時期を表す複数の文字と前記複数の位置決め凹部と前記表示窓とが対応して配置されており、前記表示部材を移動させて、前記使用開始時期を表す複数の文字のうち、前記カートリッジの使用開始時期に当たる文字を前記蓋に設けられた使用開始を示す印に合わせることによって、前記表示窓から前記カートリッジの寿命に対応した交換時期を表す文字が視認可能となるポット型浄水器が提供される。
また、本発明の別の形態によれば、有底筒状の本体容器と、該本体容器の開口を覆う蓋と、ろ材を収納するカートリッジとを備えたポット型浄水器であって、前記蓋の裏面に表示部材が取り付けられ、前記蓋に前記カートリッジの使用開始時期を表す複数の文字が印刷または刻印され、また、前記表示部材の前記蓋に対向する表面に前記カートリッジの交換時期を表す複数の文字が印刷または刻印され、前記表示部材の外周面に複数の位置決め凹部が設けられ、前記蓋には位置決め凸部が設けられ、前記表示部材を移動させ、前記位置決め凹部と前記位置決め凸部が嵌るごとに、前記蓋の表示窓から前記交換時期を表す各文字が順次視認可能であるように、前記交換時期を表す複数の文字と前記複数の位置決め凹部と前記表示窓とが対応して配置されており、前記表示部材を移動させて、前記使用開始時期を表す複数の文字のうち、前記カートリッジの使用開始時期に当たる文字を前記表示部材に設けられた使用開始を示す印に合わせることによって、前記表示窓から前記カートリッジの寿命に対応した交換時期を表す文字が視認可能となるポット型浄水器が提供される。
【手続補正３】
【補正対象書類名】明細書
【補正対象項目名】０００８
【補正方法】変更
【補正の内容】
【０００８】
また、本発明の好ましい形態によれば、前記位置決め凸部は前記表示部材の外周面に面して設けられ、前記表示部材の移動に伴い、前記位置決め凸部が、該位置決め凸部の高さ方向に変位するポット型浄水器が提供される。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
また、本発明の別の形態によれば、有底筒状の本体容器と、該本体容器の開口を覆う蓋と、ろ材を収納するカートリッジとを備えたポット型浄水器であって、前記蓋の裏面に表示部材が取り付けられ、前記表示部材の前記蓋に対向する表面の反対側の面に前記カートリッジの使用開始時期を表す複数の文字が印刷または刻印され、また、前記表示部材の前記蓋に対向する表面に前記カートリッジの交換時期を表す複数の文字が印刷または刻印され、前記表示部材の外周面に複数の位置決め凸部が設けられ、前記蓋には位置決め凹部が設けられ、前記表示部材を移動させ、前記位置決め凸部と前記位置決め凹部が嵌るごとに、前記蓋の表示窓から前記交換時期を表す各文字が順次視認可能であるように、前記交換時期を表す複数の文字と前記複数の位置決め凸部と前記表示窓とが対応して配置されており、前記表示部材を移動させて、前記使用開始時期を表す複数の文字のうち、前記カートリッジの使用開始時期に当たる文字を前記蓋に設けられた使用開始を示す印に合わせることによって、前記表示窓から前記カートリッジの寿命に対応した交換時期を表す文字が視認可能となるポット型浄水器が提供される。
また、本発明の別の形態によれば、有底筒状の本体容器と、該本体容器の開口を覆う蓋と、ろ材を収納するカートリッジとを備えたポット型浄水器であって、前記蓋の裏面に表示部材が取り付けられ、前記蓋に前記カートリッジの使用開始時期を表す複数の文字が印刷または刻印され、また、前記表示部材の前記蓋に対向する表面に前記カートリッジの交換時期を表す複数の文字が印刷または刻印され、前記表示部材の外周面に複数の位置決め凸部が設けられ、前記蓋には位置決め凹部が設けられ、前記表示部材を移動させ、前記位置決め凸部と前記位置決め凹部が嵌るごとに、前記蓋の表示窓から前記交換時期を表す各文字が順次視認可能であるように、前記交換時期を表す複数の文字と前記複数の位置決め凸部と前記表示窓とが対応して配置されており、前記表示部材を移動させて、前記使用開始時期を表す複数の文字のうち、前記カートリッジの使用開始時期に当たる文字を前記表示部材に設けられた使用開始を示す印に合わせることによって、前記表示窓から前記カートリッジの寿命に対応した交換時期を表す文字が視認可能となるポット型浄水器が提供される。
【手続補正６】
【補正対象書類名】明細書
【補正対象項目名】００１１
【補正方法】変更
【補正の内容】
【００１１】
また、本発明の好ましい形態によれば、前記位置決め凹部は前記表示部材の外周面に面して設けられ、前記表示部材の移動に伴い、前記位置決め凹部が、該位置決め凹部の高さ方向に変位するポット型浄水器が提供される。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
また、本発明の好ましい形態によれば、前記位置決め凸部および前記位置決め凹部の形状が、円弧状または三角形状であるポット型浄水器が提供される。
また、本発明の好ましい形態によれば、前記表示部材が前記蓋に対して回動するポット型浄水器が提供される。
なお、本明細書において、「フタ」とは「蓋」のことをいう。